(57)【要約】【課題】  断熱形材が用いられたサッシ窓において、断熱形材の熱反り量を低減できるサッシ窓を提供すること。【解決手段】  障子の竪框２５は、金属製の室外部材および室内部材と、室外部材、室内部材に跨って配置されてポケット部４０に挿入された断熱ブリッジ材２５Ｃとを備えた断熱形材で構成する。断熱ブリッジ材２５Ｃは、一端部側である下端部のみがかしめによってポケット部４０に固定され、他の部分はポケット部４０に対しスライド移動可能に係合する。断熱ブリッジ材２５Ｃの上端面とその上方にある上部側摺動片５０との間に所定寸法の隙間７２を形成する。断熱ブリッジ材２５Ｃが熱伸びした際に、上下框等に衝突して湾曲することもなく、室内外部材の熱伸び量の差によって竪框２５が熱反りすることもない。【選択図】  図８
2005200931.tif 000002
【特許請求の範囲】
【請求項１】
上枠、下枠および左右の縦枠で構成された窓枠と、上框、下框および左右の竪框で構成された障子とを備えたサッシ窓であって、
前記上框、下框、左右の竪框のうちの少なくとも１つの框は、ポケット部を有する金属製の室外部材および室内部材と、前記室外部材および室内部材に跨って配置されて各ポケット部に挿入された断熱ブリッジ材とを備えた断熱形材で構成され、
前記断熱ブリッジ材は、長手方向の一端部のみがポケット部に固定され、固定された一端部以外はポケット部に対して長手方向にスライド移動可能に係合され、他端部の端面と障子においてその端面に対向する部材との間には所定寸法の隙間が形成されているサッシ窓。
【請求項２】
前記障子の竪框は前記断熱形材で構成され、
前記断熱ブリッジ材は、下端部のみがポケット部に固定され、固定された下端部以外はポケット部に対して長手方向にスライド移動可能に係合され、上端部の端面と障子においてその端面に対向する部材との間には所定寸法の隙間が形成されている請求項１に記載のサッシ窓。
【請求項３】
前記断熱形材において、断熱ブリッジ材の他端部側の端部には、端部部材が取り付けられ、この端部部材と断熱ブリッジ材の他端部端面との間に前記隙間が形成され、端部部材は、前記隙間を外部から視認できないように被覆する被覆片を備える請求項１または請求項２に記載のサッシ窓。
【発明の詳細な説明】
【技術分野】
【０００１】
本発明は、室外部材および室内部材間に断熱ブリッジ材を配置した断熱形材を、障子の框材として用いたサッシ窓に関する。
【背景技術】
【０００２】
アルミニウム合金製の室外部材（形材）および室内部材（形材）を、樹脂材料などからなる断熱材で連結した断熱形材を用いて障子の框を構成した断熱サッシが知られている（例えば、特許文献１参照）。
この際、前記断熱材は、室外部材および室内部材の全長に渡って配置され、室外部材および室内部材をその全長にわたってかしめることで連結されていた。
【０００３】
【特許文献１】特開平７−３０５５６６号公報
【発明の開示】
【発明が解決しようとする課題】
【０００４】
このような断熱形材では、室外部材および室内部材間で温度差が生じるため、各部材で熱伸び量も異なる。また、断熱材と室内外部材とは材質が異なり、熱伸び量も相違するため、断熱材と各室内外部材との熱伸び量も相違する。このため、太陽光の直射等によって温度が大きく変化すると、各部材の熱伸び量の差により熱反りが発生する。特に、テラス窓を構成するサッシのように、高さ寸法が約２メートルにもなる大型のサッシ窓の場合、竪框部分の熱伸び量の差は竪框の高さ寸法に比例して大きくなるため、熱反り量も大きくなり、このため、熱反りの解消が求められていた。
【０００５】
本発明の目的は、断熱形材が用いられたサッシ窓において、断熱形材の熱反り量を低減できるサッシ窓を提供することにある。
【課題を解決するための手段】
【０００６】
本発明は、上枠、下枠および左右の縦枠で構成された窓枠と、上框、下框および左右の竪框で構成された障子とを備えたサッシ窓であって、前記上框、下框、左右の竪框のうちの少なくとも１つの框は、ポケット部を有する金属製の室外部材および室内部材と、前記室外部材および室内部材に跨って配置されて各ポケット部に挿入された断熱ブリッジ材とを備えた断熱形材で構成され、前記断熱ブリッジ材は、長手方向の一端部のみがポケット部に固定され、固定された一端部以外はポケット部に対して長手方向にスライド移動可能に係合され、他端部の端面と障子においてその端面に対向する部材との間には所定寸法の隙間が形成されていることを特徴とする。
【０００７】
ここで、断熱ブリッジ材は、少なくとも、金属製の室外部材、室内部材に比べて熱伝導率が低い材料（断熱材）で構成された部材であればよく、例えば、ウレタン樹脂や塩化ビニル樹脂等の熱伝導率が小さく、熱を通しにくい合成樹脂等で構成されたものが利用できる。
【０００８】
このようなサッシ窓では、断熱ブリッジ材の長手方向の一端部側のみを、かしめ、接着剤、ビス等で固定しているので、それ以外の部分は室外部材および室内部材つまり各ポケット部に対して自由にスライド移動することができる。
このため、断熱形材の室外部材の他端部も、断熱ブリッジ材および室内部材に対して自由にスライド移動することができ、断熱形材における熱反りを防止できる。すなわち、アルミニウム合金等からなる室内外部材間に断熱ブリッジ材を介在させた場合、室外部材が太陽光の直射によって温められると、その熱は断熱ブリッジ材で遮断され、室外部材および室内部材間に温度差が生じ、室内外部材に熱伸び量の差が生じる。従来のように、室内外部材の全長に渡って断熱ブリッジ材がかしめ等で固定されていると、熱伸び量の差によって断熱形材に熱反りが発生する。
これに対し、本発明では、断熱ブリッジ材の他端部が室内外部材に対して自由にスライド移動できるため、室外部材の他端部も断熱ブリッジ材や室内部材に対して自由にスライド移動でき、室内外部材に熱伸び量の差が生じても室外部材の端部が室内部材の端部に対して自由に移動し、熱反りの発生を防止できる。
また、断熱ブリッジ材の他端部を室内外部材に対して自由にスライド移動できるようにしたので、断熱ブリッジ材が熱伸びした際に、障子の他の框や摺動片等の断熱ブリッジ材の端面に対向する部材に衝突するという、断熱ブリッジ材の全長をかしめ等で固定していた場合には発生しない新たな問題が生じる。断熱ブリッジ材が摺動片等に衝突すると、摺動片等を押し上げてしまうという問題や、断熱ブリッジ材が湾曲して断熱ブリッジ材の他端部のスライド移動を阻害し、熱反りの一因になるという問題が生じる虞がある。
これに対し、本発明では、前記断熱ブリッジ材の他端部側には所定寸法の隙間が形成されているので、断熱ブリッジ材が熱伸びした際に、断熱ブリッジ材が摺動片等に衝突することを防止できる。従って、摺動片等が押し上げられてしまうという問題や、断熱ブリッジ材が湾曲して熱反りの一因となるという問題も防止できる。
【０００９】
また、断熱ブリッジ材の一端部側をかしめ等で室外部材および室内部材に固定しているので、所定の強度で室外部材および室内部材を連結することができる。このため、落下などの衝撃が加わっても、室外部材および室内部材がずれることを防止できる。
その上、例えば、断熱ブリッジ材をかしめやビスによって固定している場合にはその数を調整し、接着剤で固定している場合にはその接着面積を調整することで、各断熱形材毎に必要とする連結強度を容易に調整することができる。
さらに、断熱ブリッジ材の固定は、一端部のみであるため、かしめ等で固定する場合でも、全長に渡ってかしめる場合に比べて加工工数を削減でき、加工作業を容易に行うことができる。
【００１０】
また、断熱ブリッジ材の一端部をポケット部に固定しているので、断熱ブリッジ材において熱伸び（熱膨張）させる方向を、他端部側のみに制御することができる。例えば、断熱ブリッジ材の中間部のみを固定した場合、断熱ブリッジ材はその固定された中間部に対し、左右両端側がそれぞれ熱伸びしてしまい、それぞれの端部においてその熱伸びを考慮した設計を行う必要がある。これに対し、本発明では、熱伸び方向を一方向に制御できるので、断熱ブリッジ材の他端部側のみに隙間を形成すればよく、障子を容易に設計できる。
【００１１】
なお、本発明では、障子の上框、下框、竪框のすべての框を前記断熱形材で構成してもよいし、特に熱反りが生じやすい框のみを前記断熱形材で構成してもよい。例えば、引違い窓の上框や下框のように、レールでガイドされる框は、レールで熱反りを防止できるため、レールでガイドされていない竪框に比べて熱反りは生じにくい。このような場合には、熱反りを生じやすい竪框のみを前記断熱形材で構成し、上框や下框は従来のように、断熱ブリッジ材をその長手方向全長に渡ってかしめ等で固定した断熱形材で構成してもよい。
【００１２】
ここで、前記障子の竪框は前記断熱形材で構成され、前記断熱ブリッジ材は、下端部のみがポケット部に固定され、固定された下端部以外はポケット部に対して長手方向にスライド移動可能に係合され、上端部の端面と障子においてその端面に対向する部材との間には所定寸法の隙間が形成されていることが好ましい。
【００１３】
竪框における断熱ブリッジ材において、下端部分をかしめ等で固定し、上端部分に隙間を形成すれば、上端部をかしめで固定し、下端部側に隙間を形成した場合に比べて、利用者が視認し難い箇所に隙間を形成することになるので、意匠性をより向上できる。
【００１４】
また、前記断熱形材において、断熱ブリッジ材の他端部側の端部には、端部部材が取り付けられ、この端部部材と断熱ブリッジ材の他端部端面との間に前記隙間が形成され、端部部材は、前記隙間を外部から視認できないように被覆する被覆片を備えることが好ましい。
ここで、端部部材としては、例えば、引違い窓の障子の竪框においては、レールをガイドする上部側摺動片等が利用でき、開き窓等においては框の端部開口を塞ぐ端部キャップなどが利用できる。
端部部材に被覆片が形成されていれば、断熱ブリッジ材と端部部材間の隙間を塞ぐことができるので、意匠性の低下を防止できる。なお、外部から視認できないように隙間を塞ぐとは、前記隙間を利用者が視認できないように被覆できるものであればよく、例えば隙間の外周側に被覆片を配置するだけでもよい。
【発明を実施するための最良の形態】
【００１５】
以下、本発明の一実施形態を図面に基づいて説明する。なお、図１，２では、サッシ窓１の断面が示されているが、図面を見やすくするために、主要な構成部材については、その断面部分のハッチングを省略してある。
【００１６】
〔全体構造〕
図１，２に示すように、サッシ窓１は、引違い窓を構成するものであって、建物の開口部に取り付けられた窓枠１０と、この窓枠１０内に建て付けられた室外側の外障子２０Ａおよび室内側の内障子２０Ｂとを備え、外障子２０Ａの室外側には網戸２が建て付けられている。
【００１７】
窓枠１０は、上枠１１、下枠１２および左右の縦枠１３，１４を四周枠組みして構成されている。各枠１１〜１４はそれぞれ、アルミ押出形材製の室外部材１１Ａ，１２Ａ，１３Ａ，１４Ａと、同様にアルミ押出形材製の室内部材１１Ｂ，１２Ｂ，１３Ｂ，１４Ｂと、これらを連結する断熱ブリッジ材１１Ｃ，１２Ｃ，１３Ｃ，１４Ｃとを含んだ断熱形材で構成されている。
ここで、断熱ブリッジ材１１Ｃ〜１４Ｃは、予め成型されたウレタン樹脂、塩化ビニル樹脂、ポリアミド、フェノール等の硬質合成樹脂製あるいはこれらの樹脂をガラス繊維、炭素繊維等で補強した強化樹脂製等で構成されている。この断熱ブリッジ材１１Ｃ〜１４Ｃは断面形状が略Ｉ字状、つまり略板状の両端部にフランジ部分が形成された形状とされている。
【００１８】
室外部材１１Ａ〜１４Ａ、室内部材１１Ｂ〜１４Ｂには、互いに対向するポケット部１５が一体に形成されている。このポケット部１５は、断面略Ｃ字状に形成されている。そして、前記断熱ブリッジ材１１Ｃ〜１４Ｃは、ポケット部１５の開口端面（各室外部材１１Ａ〜１４Ａ、室内部材１１Ｂ〜１４Ｂの長手方向端面）からスライド挿入され、さらにポケット部１５を全長に渡って所定間隔でかしめることで固定されている。従って、断熱ブリッジ材１１Ｃ〜１４Ｃのフランジ部分がポケット部１５に係合され、かつ、かしめられていることで、室外部材１１Ａ〜１４Ａおよび室内部材１１Ｂ〜１４Ｂは断熱ブリッジ材１１Ｃ〜１４Ｃにより互いに離れないように連結している。
【００１９】
上枠１１の室外部材１１Ａおよび室内部材１１Ｂには、それぞれ下方に垂下した上レール１６，１７が設けられている。各レール１６，１７では、外障子２０Ａおよび内障子２０Ｂの上部側がガイドされている。
下枠１２の室外部材１２Ａおよび室内部材１２Ｂには、それぞれ上方に突設した下レール１８，１９が設けられている。下レール１８では、外障子２０Ａの下部側の戸車が転動してガイドされ、下レール１９では、内障子２０Ｂの下部側の戸車が転動してガイドされる。
【００２０】
各上枠１１、下枠１２、縦枠１３，１４は、室外部材１１Ａ〜１４Ａおよび室内部材１１Ｂ〜１４Ｂがそれぞれ躯体側にネジなどで固定されることで、躯体に取り付けられている。
【００２１】
外障子２０Ａおよび内障子２０Ｂは、それぞれ上框２１，２２と、下框２３，２４と、左右の竪框２５，２６と、外召合せ框２７および内召合せ框２８とをそれぞれ四角枠状に組んで構成されている。
これらの各框２１〜２８の内周面には、面材である複層ガラス２９がガスケット３０を介して嵌合されている。
【００２２】
各框２１〜２６は、それぞれアルミニウム合金製の室外部材２１Ａ〜２６Ａと、アルミニウム合金製の室内部材２１Ｂ〜２６Ｂと、これらの室外部材２１Ａ〜２６Ａおよび室内部材２１Ｂ〜２６Ｂを連結する断熱ブリッジ材２１Ｃ〜２６Ｃとで構成されている。
このうち、各下框２３，２４は、高さ寸法が大きいため、それぞれ３本の断熱ブリッジ材２３Ｃおよび２本の断熱ブリッジ材２４Ｃが設けられている。
【００２３】
また、外障子２０Ａの外召合せ框２７は、その室内側に内召合せ框２８が配置されて断熱性能が要求されないため、断熱ブリッジ材が設けられておらず、アルミニウム合金製の一体押出成形品で構成されている。
一方、内障子２０Ｂの内召合せ框２８は、障子を閉めた際に室外側に露出するアルミニウム合金製の室外部材２８Ａと、外障子２０Ａの室内側に配置されて室内側に露出するアルミニウム合金製の室内部材２８Ｂと、これらを連結する断熱ブリッジ材２８Ｃとで構成されている。
【００２４】
そして、左右の竪框２５，２６および外召合せ框２７、内召合せ框２８間に、上框２１，２２および下框２３，２４が配置され、各室内部材２１Ｂ〜２６Ｂ，２８Ｂ同士をビス止めすることで、外障子２０Ａおよび内障子２０Ｂは四角枠状に組まれている。このため、竪框２５，２６の室外部材２５Ａ，２６Ａは、下端部のみが断熱ブリッジ材２５Ｃ，２６Ｃ、つまり室内部材２５Ｂ，２６Ｂとかしめ固定され、それ以外は互いに自由にスライド移動可能とされている。また、室外部材２５Ａ，２６Ａは、上框２１，２２とも係合されていないので、この点でも自由にスライド移動可能とされている。
また、図３に示すように、各竪框（召合せ框）２５〜２８の上端には、前記上レール１６，１７を挟み込む端部部材である上部側摺動片５０が取り付けられ、下端には下レール１８，１９を挟み込む端部部材である下部側摺動片６０が取り付けられている。
【００２５】
〔断熱ブリッジ材および摺動片の取付構造〕
次に、断熱ブリッジ材２１Ｃ〜２６Ｃ，２８Ｃおよび上部側摺動片５０、下部側摺動片６０の取付構造について、竪框２５を例にして詳述する。
室外部材２１Ａ〜２６Ａ，２８Ａ、室内部材２１Ｂ〜２６Ｂ，２８Ｂには、窓枠１０のポケット部１５と同様に断面略Ｃ字状に形成されたポケット部４０が互いに対向して一体に形成されている。
対向形成された各ポケット部４０は、図４に示すように、互いに対向する方向に突出された２本の突出片部４１と、この突出片部４１から直交方向に突設された係合片部４２とを備えて構成され、押出成形によって各室外部材２１Ａ〜２６Ａ，２８Ａ、室内部材２１Ｂ〜２６Ｂ，２８Ｂと一体に形成されている。従って、ポケット部４０によって断熱ブリッジ材２１Ｃ〜２６Ｃ，２８Ｃが係合される係合溝４３が、各室外部材２１Ａ〜２６Ａ，２８Ａ、室内部材２１Ｂ〜２６Ｂ，２８Ｂの長手方向全長に渡って形成されている。なお、図４，６においては、断熱ブリッジ材２１Ｃ，２５Ｃにハッチングを入れて、室外部材２１Ａ，２５Ａ、室内部材２１Ｂ，２５Ｂと区別し易いようにしている。
【００２６】
各ポケット部４０の係合溝４３には、各断熱ブリッジ材２１Ｃ〜２６Ｃ，２８Ｃが、ポケット部４０の開口端面からスライド挿入されている。各断熱ブリッジ材２１Ｃ〜２６Ｃ，２８Ｃは、断熱ブリッジ材１１Ｃ〜１４Ｃと同一のものであり、予め成型されたウレタン樹脂、塩化ビニル樹脂、ポリアミド、フェノール等の硬質合成樹脂製あるいはこれらの樹脂をガラス繊維、炭素繊維等で補強した強化樹脂製等で構成されている。そして、断熱ブリッジ材２１Ｃ〜２６Ｃ，２８Ｃも、断面形状が略Ｉ字状、つまり略板状の両端部にフランジ部分が形成された形状とされ、このフランジ部分が前記ポケット部４０の係合溝４３に係合されている。このフランジ部分が係合片部４２に係止されるため、断熱ブリッジ材２１Ｃ〜２６Ｃ，２８Ｃをポケット部４０に挿入しただけでも、各室外部材２１Ａ〜２６Ａ，２８Ａ、室内部材２１Ｂ〜２６Ｂ，２８Ｂは、それらの間隔が広がらないように断熱ブリッジ材２１Ｃ〜２６Ｃ，２８Ｃで連結されていることになる。
【００２７】
また、竪框２５，２６、内召合せ框２８のポケット部４０には、上部側摺動片５０、下部側摺動片６０の係合部が係合されている。
竪框２５に取り付けられる上部側摺動片５０を例にして説明すると、上部側摺動片５０は、図３，５，６に示すように、室外部材２５Ａ、室内部材２５Ｂに跨って配置される。すなわち、上部側摺動片５０は、室外部材２５Ａ側に係合される室外側壁部５１と、室内部材２５Ｂ側に係合される室内側壁部５２と、各壁部５１，５２を連結する連結部５３とを有して構成され、各壁部５１，５２間に上レール１６が挿通される摺動溝５４が形成されている。壁部５１，５２には、室外部材２５Ａ、室内部材２５Ｂの上端面を被覆するカバー部５１Ａ，５２Ａが一体に形成されている。
【００２８】
そして、上部側摺動片５０の各壁部５１，５２は、竪框２５の室外部材２５Ａおよび室内部材２５Ｂの各ポケット部４０の係合溝４３に係合する係合部５５，５６を備えている。
係合部５５，５６は、図７，８に示すように、係合溝４３の幅寸法に比べて幅寸法が小さい挿入ガイド部５５Ａと、幅寸法が拡大する幅拡大部５５Ｂと、幅寸法が係合溝４３の幅寸法と略同一とされた嵌合部５５Ｃとを備えている。このため、係合部５５，５６をポケット部４０に差し込んだ当初は、挿入ガイド部５５Ａが係合溝４３に挿入されるため、係合溝４３と係合部５５，５６の中心軸が多少ずれていてもスムーズに差し込むことができる。そして、さらに上部側摺動片５０を押し込むと、幅拡大部５５Ｂによって軸合わせが行われた後、係合溝４３に嵌合部５５Ｃが圧入嵌合される。
従って、上部側摺動片５０は、断熱ブリッジ材２５Ｃと同様に、各ポケット部４０に係合して各室外部材２５Ａ、室内部材２５Ｂを連結している。
なお、図示しないが、他の竪框２６、内召合せ框２８に取り付けられる上部側摺動片５０や、各竪框２５，２６、内召合せ框２８に取り付けられる下部側摺動片６０においても、各ポケット部４０に係合する係合部が形成され、この係合部を係合溝４３に嵌合することで各室外部材２５Ａ，２６Ａ，２８Ａ、室内部材２５Ｂ，２６Ｂ，２８Ｂを連結している。
【００２９】
なお、上部側摺動片５０、下部側摺動片６０の各係合部５５，５６は、ポケット部４０に圧入するだけでもよいし、圧入後、ポケット部４０をかしめることでより強固に固定してもよい。
また、各断熱ブリッジ材２１Ｃ〜２６Ｃ，２８Ｃは、ポケット部４０に挿通後、断熱ブリッジ材２１Ｃ〜２６Ｃ，２８Ｃの長手方向の一端部側のみをかしめによって固定している。
【００３０】
すなわち、本実施形態では、各竪框２５，２６、内召合せ框２８に取り付けられる断熱ブリッジ材２５Ｃ，２６Ｃ，２８Ｃは、下端部側つまり下部側摺動片６０の上側に隣接して配置される部分のみがかしめによって固定されている。例えば、テラス窓のように、障子２０Ａ，２０Ｂの高さ寸法が約２メートルと高く、各断熱ブリッジ材２５Ｃ，２６Ｃ，２８Ｃの高さ（長手）寸法も同様に２メートル近くある場合でも、その下端縁から約１０センチメートル程度の高さ範囲内の下端部のみでかしめを行っている。
【００３１】
このかしめの領域は、かしめを行う数によって設定される。すなわち、各かしめ箇所は、１センチメートル程度の間隔で行うため、例えば、１０個のかしめを行えば、かしめが行われた領域は約１０センチメートル程度となる。また、かしめ数が多くなるほど連結強度が向上するので、かしめ数は必要となる連結強度に応じて設定される。この断熱ブリッジ材２５Ｃ，２６Ｃ，２８Ｃ部分のかしめは、主に障子２０Ａ，２０Ｂが搬送中などに誤って落下した際の衝撃で、室外部材２５Ａ，２６Ａ，２８Ａおよび室内部材２５Ｂ，２６Ｂ，２８Ｂが長手方向にずれてしまうことを防止できればよい。従って、かしめの数は、必要となる強度に応じて設定すればよい。
【００３２】
また、上框２１，２２、下框２３，２４に取り付けられる断熱ブリッジ材２１Ｃ〜２４Ｃは、左右両端のうち、外召合せ框２７、内召合せ框２８側の端部のみがかしめによって固定されている。このかしめ数も必要な強度によって設定すれば良い。
【００３３】
合成樹脂製の断熱ブリッジ材２１Ｃ〜２６Ｃ，２８Ｃは、温度変化に伴う伸縮量がアルミニウム合金製の室外部材２１Ａ〜２６Ａ，２８Ａ、室内部材２１Ｂ〜２６Ｂ，２８Ｂに比べて大きい。このため、夏や昼間など、断熱ブリッジ材２１Ｃ〜２６Ｃ，２８Ｃの温度が上昇すると、断熱ブリッジ材２５Ｃ，２６Ｃ，２８Ｃはかしめによって固定されていない上端側が上方つまり上部側摺動片５０側に伸張し、断熱ブリッジ材２１Ｃ〜２４Ｃは竪框２５，２６側の端部が竪框２５，２６側つまり竪框２５，２６に取り付けられた上部側摺動片５０や下部側摺動片６０側に伸張する。
このため、本実施形態では、伸張時に断熱ブリッジ材２１Ｃ〜２６Ｃ，２８Ｃが上部側摺動片５０や下部側摺動片６０に衝突しないように、予め上部側摺動片５０や下部側摺動片６０との間に隙間（クリアランス）７１，７２が設けられている。
【００３４】
具体的には、断熱ブリッジ材２１Ｃ〜２４Ｃは、各框２１〜２４の外召合せ框２７、内召合せ框２８側の端縁が、各框２１〜２４の端縁と面一となるように配置され、その端縁側がかしめによって固定されている。一方、断熱ブリッジ材２１Ｃ〜２４Ｃの竪框２５，２６側の端縁は、図４（Ａ）に示すように、各框２１〜２４の端縁までは延長されておらず、端縁から所定の寸法Ｌ１だけ離れた位置までしか設けられていない。つまり、断熱ブリッジ材２１Ｃ〜２４Ｃの長さ寸法は、基準温度の状態で、各框２１〜２４の室外部材２１Ａ〜２４Ａ、室内部材２１Ｂ〜２４Ｂに比べて寸法Ｌ１だけ短くされ、断熱ブリッジ材２１Ｃ〜２４Ｃと、上部側摺動片５０および下部側摺動片６０との間には、隙間７１が設けられている。
このため、図４（Ｂ）に示すように、温度が上昇して断熱ブリッジ材２１Ｃ〜２４Ｃが伸張しても、各摺動片５０，６０に対して寸法Ｌ２の隙間７１が残り、摺動片５０，６０に衝突することがないように構成されている。
【００３５】
同様に、断熱ブリッジ材２５Ｃ，２６Ｃ，２８Ｃは、下端側が下部側摺動片６０の上端縁に隣接して、その端縁側がかしめによって固定されている。一方、断熱ブリッジ材２５Ｃ，２６Ｃ，２８Ｃの上端側は、図８（Ａ）に示すように、上部側摺動片５０の下端縁から所定の寸法Ｈ１だけ離れた位置までしか設けられていない。つまり、断熱ブリッジ材２５Ｃ，２６Ｃ，２８Ｃの高さ寸法は、基準温度の状態で、各框２５，２６，２８の室外部材２５Ａ，２６Ａ，２８Ａ、室内部材２５Ｂ，２６Ｂ，２８Ｂの高さ寸法に比べて、各摺動片５０，６０の高さ寸法および前記高さ寸法Ｈ１を足した分だけ短くされ、断熱ブリッジ材２５Ｃ，２６Ｃ，２８Ｃと、上部側摺動片５０との間には、隙間７２が設けられている。
このため、図８（Ｂ）に示すように、温度が上昇して断熱ブリッジ材２５Ｃ、２６Ｃ，２８Ｃが伸張しても、上部側摺動片５０に対して高さ寸法Ｈ２の隙間７２が残り、上部側摺動片５０に衝突することがないように構成されている。
なお、隙間７１，７２の所定寸法Ｌ１，Ｈ１は実施にあたって適宜設定すればよく、例えば、高さ寸法が２ｍ、線膨張率が６×１０-5／℃の断熱ブリッジ材２５Ｃ，２６Ｃを用いた竪框２５，２６の場合、温度が２０度から５０度に３０度上昇すると、断熱ブリッジ材２５Ｃ，２６Ｃはその温度変化で３．６mm熱伸びする。従って、隙間７２の寸法Ｈ１は断熱ブリッジ材２５Ｃ，２６Ｃの熱伸び量よりも大きくすればよく、例えば５mmとすればよい。このように隙間７２の所定寸法Ｈ１は、断熱ブリッジ材の熱伸び量に応じて設定すればよく、高さ寸法が２〜２．５ｍ程度のテラス戸サッシ等においては、５〜１０ｍｍ程度に設定すればよい。
【００３６】
なお、各断熱ブリッジ材２１Ｃ〜２６Ｃ，２８Ｃが設けられている部分は、レール１６〜１９等に当接するシール材によって室外側から区画されているので、隙間が形成されていても水密性や気密性に影響を与えることはない。また、上下の框２１〜２４や内召合せ框２８部分の隙間７１，７２は、サッシ窓の使用時には利用者が視認することができないため、意匠性を低下させることもない。
但し、竪框２５，２６部分に生じる隙間７２は、障子２０Ａ，２０Ｂを開いた際に、その側面に露出するため、利用者が視認することができる。このため、上部側摺動片５０には、断熱ブリッジ材２５Ｃ，２６Ｃの外側面側に配置されて前記隙間７２部分を被覆する被覆片５７が下方に突出して形成されている。
【００３７】
このような本実施形態によれば、以下のような効果がある。
(1) 断熱ブリッジ材２１Ｃ〜２６Ｃ，２８Ｃは、その長手方向の一端部側のみをかしめで固定しているので、温度に応じて断熱ブリッジ材２１Ｃ〜２６Ｃ，２８Ｃが伸縮した場合に、室外部材２１Ａ〜２６Ａ，２８Ａおよび室内部材２５Ｂ，２６Ｂ，２８Ｂに対して断熱ブリッジ材２１Ｃ〜２６Ｃ，２８Ｃを自由にスライド移動させることができる。
このため、断熱ブリッジ材２１Ｃ〜２６Ｃ，２８Ｃが、ポケット部４０に注入固定されている場合や、全長に渡ってかしめられている場合のように、室外部材２１Ａ〜２６Ａ，２８Ａおよび室内部材２５Ｂ，２６Ｂ，２８Ｂ間の熱伸び量の差によって断熱形材（各框２１〜２６，２８）が反ってしまうことがない。すなわち、本実施形態では、断熱ブリッジ材２１Ｃ〜２６Ｃ，２８Ｃの他端部は自由にスライド移動できるので、室外部材２１Ａ〜２６Ａ，２８Ａの他端部は室内部材２５Ｂ，２６Ｂ，２８Ｂの他端部に対して自由にスライド移動でき、各框２１〜２６，２８の反りを防止できる。特に、寸法が大きく長尺な竪框２５，２６，２８においても効果的に熱反りを防止できる。
【００３８】
(2) 各断熱ブリッジ材２１Ｃ〜２６Ｃ，２８Ｃと、上部側摺動片５０、下部側摺動片６０との間には、所定の隙間７１，７２が形成されているので、断熱ブリッジ材２１Ｃ〜２６Ｃ，２８Ｃが熱伸びしても各摺動片５０，６０に衝突することを防止でき、衝突によって上部側摺動片５０等が押し上げられることを防止できる。また、断熱ブリッジ材２１Ｃ〜２６Ｃ，２８Ｃが湾曲することも防止できるので、室外部材２１Ａ〜２６Ａ，２８Ａおよび室内部材２５Ｂ，２６Ｂ，２８Ｂの端部を自由にスライド移動させることができ、この点でも熱反りの発生を防止できる。
【００３９】
(3) 上部側摺動片５０には、被覆片５７が形成されているので、断熱ブリッジ材２５Ｃ，２６Ｃと上部側摺動片５０間の隙間７２を塞ぐことができ、意匠性の低下を防止できる。さらに、断熱ブリッジ材２５Ｃ，２６Ｃは、下端部分をかしめで固定することで、上端部分に隙間７２を形成しているので、下端側に隙間を形成した場合に比べて、利用者が視認し難い箇所に隙間７２を形成することになるので、意匠性をより向上できる。
【００４０】
(4) 障子２０Ａ，２０Ｂの竪框２５，２６、内召合せ框２８の上下両端に設けられる端部部材である上部側摺動片５０、下部側摺動片６０を各室外部材２５Ａ，２６Ａ，２８Ａおよび室内部材２５Ｂ，２６Ｂ，２８Ｂに跨って配置して各ポケット部４０に係合したので、室外部材２５Ａ，２６Ａ，２８Ａおよび室内部材２５Ｂ，２６Ｂ，２８Ｂ間の連結強度を向上でき、竪框２５，２６、内召合せ框２８の曲げ・ねじり剛性を向上できる。
また、上部側摺動片５０、下部側摺動片６０は、室外部材２５Ａ，２６Ａ，２８Ａおよび室内部材２５Ｂ，２６Ｂ，２８Ｂの長手方向に直交する面状に形成されているので、室内部材２５Ｂ，２６Ｂ，２８Ｂに対して室外部材２５Ａ，２６Ａ，２８Ａが軸直交方向に曲げられたり、ねじられたりした際に、各上部側摺動片５０、下部側摺動片６０でその力を支持できるので、各竪框２５，２６や内召合せ框２８の曲げ剛性やねじり剛性を効果的に向上できる。特に、摺動片５０，６０は、それぞれ２本の係合部５５，５６を備え、室外部材２５Ａ，２６Ａ，２８Ａおよび室内部材２５Ｂ，２６Ｂ，２８Ｂにそれぞれ２カ所で係合されているので、各框２５，２６，２８の曲げ剛性やねじり剛性をより一層向上できる。
【００４１】
(5) 上部側摺動片５０、下部側摺動片６０は、室外部材２５Ａ，２６Ａ，２８Ａおよび室内部材２５Ｂ，２６Ｂ，２８Ｂにおいて断熱ブリッジ材２５Ｃ，２６Ｃ，２８Ｃが挿入されるポケット部４０に、係合部５５，５６を係合しているので、摺動片５０，６０を係合するための新たなポケット部を別途形成する必要がない。このため、室外部材２５Ａ，２６Ａ，２８Ａおよび室内部材２５Ｂ，２６Ｂ，２８Ｂは従来と同一のものを利用でき、上部側摺動片５０、下部側摺動片６０のみを新規に用意すればよいため、コスト増加を最小限に抑えることができ、断熱形材の剛性を安価にかつ容易に向上できる。
【００４２】
(6) 上部側摺動片５０、下部側摺動片６０は、ポケット部４０に圧入嵌合し、適宜かしめるだけでよいので、ビスなどで固定する場合に比べて取付作業も容易に行うことができる。さらに、各摺動片５０，６０の係合部５５，５６を、幅寸法の異なる挿入ガイド部５５Ａ、幅拡大部５５Ｂ、嵌合部５５Ｃで構成したので、係合部５５，５６を容易にポケット部４０に挿入することができ、この点でも取付作業性を向上できる。
【００４３】
(7) 本実施形態では、摺動片５０，６０が、室外部材２５Ａ，２６Ａ，２８Ａおよび室内部材２５Ｂ，２６Ｂ，２８Ｂを連結する端部部材を兼用しているので、端部部材を別途用意する必要がなく、従来から用いられている摺動片５０，６０の構造を一部修正するだけでよいので、部品点数の増加を抑えることができ、コスト増加も抑えることができる。
【００４４】
(8) 摺動片５０，６０で室外部材２５Ａ，２６Ａ，２８Ａおよび室内部材２５Ｂ，２６Ｂ，２８Ｂを連結しているので、断熱ブリッジ材２５Ｃ，２６Ｃ，２８Ｃは全長に渡ってかしめる必要が無く、端部の一部分のみをかしめればよいため、かしめ作業が軽減され、生産性も向上できる。
【００４５】
なお、本発明は前記各実施形態の構成に限定されるものではない。
例えば、前記実施形態では、断熱ブリッジ材２１Ｃ〜２６Ｃ，２８Ｃは下端部や召合せ框２７，２８側の端部をかしめていたが、上端部は戸先框２５，２６側をかしめて固定してもよい。
さらに、断熱ブリッジ材２１Ｃ〜２６Ｃ，２８Ｃはかしめで固定せずに、接着剤やビス等の他の固定手段を用いて固定してもよい。
【００４６】
前記実施形態では、障子２０Ａ，２０Ｂの框２１〜２６，２８に、断熱ブリッジ材２１Ｃ〜２６Ｃ，２８Ｃの一端部が固定された前記断熱形材を用いていたが、例えば、竪框２５，２６のみを前記断熱形材で構成し、他の框は従来のように、断熱ブリッジ材を全長に渡ってかしめたものや、ポケット部４０に溶融樹脂を注入して断熱ブリッジ材を構成したもので構成してもよい。すなわち、障子において、熱反りが発生しやすい框部分を前記断熱形材で構成すればよい。例えば、通常のサッシ窓では、上下の框は、竪框に比べて寸法が短く、引違い窓ではレールでガイドされて熱反りが発生し難いため、従来の構成の断熱形材で構成してもよい。
【００４７】
また、窓枠１０の断熱ブリッジ材１１Ｃ〜１４Ｃは、全長にわたってかしめてもよいし、端部や中間部の一部分のみをかしめてもよいし、かしめを行わずポケット部１５に挿入のみしてもよいし、溶融樹脂をポケット部１５に注入して構成してもよい。窓枠１０の各室外部材１１Ａ〜１４Ａ、室内部材１１Ｂ〜１４Ｂはそれぞれ躯体にビス等で固定されているので、熱反りも発生しないためである。
【００４８】
本発明の端部部材としては、上部側摺動片５０、下部側摺動片６０を用いたものに限らない。例えば、摺動片を備えない開き窓において、障子の框に取り付けられる端部キャップを端部部材として利用してもよい。さらに、上部側摺動片５０、下部側摺動片６０を有する場合でも、これらの摺動片５０，６０とは別に端部部材を設けてもよい。
また、端部部材で室外部材および室内部材を連結する必要はなく、このような連結構造を備えない一般的な摺動片を用いてもよい。さらに、端部部材には隙間７２を塞ぐ被覆片を設けなくてもよい。
【００４９】
また、各断熱ブリッジ材２１Ｃ〜２６Ｃ，２８Ｃの材質は、合成樹脂などの熱伝導率が低く、断熱性能を維持できるものであればよく、実施にあたって適宜選択すればよい。
さらに、他の構成、例えば、各框２１〜２８や、各框２１〜２８で保持される面材の具体的な構造・形状や、各枠１１〜１４の構造、躯体への取付構造等は前記実施形態のものに限らない。
【産業上の利用可能性】
【００５０】
本発明は、断熱形材からなる框を有する障子を備えた断熱サッシ窓に利用でき、引違い窓、開き窓、上げ下げ窓、辷り出し窓等の障子を開くことができるサッシ窓や、障子を窓枠に固定したＦＩＸ窓、さらには玄関ドア等の各種サッシ窓に利用できる。
【図面の簡単な説明】
【００５１】
【図１】本発明の実施形態にかかるサッシ窓を示す縦断面図。
【図２】本発明の実施形態にかかるサッシ窓を示す横断面図。
【図３】本実施形態の要部を示す斜視図。
【図４】本実施形態の竪框および上框部分を示す平面図であり、図４（Ａ）は断熱ブリッジ材が熱伸びする前の状態を示す平面図、図４（Ｂ）は断熱ブリッジ材が熱伸びした後の状態を示す平面図。
【図５】本実施形態の竪框および上部摺動片を示す横断面図。
【図６】本実施形態の竪框および上部摺動片を示す側面図。
【図７】本実施形態の上部摺動片を取り付ける前の状態を示す説明図。
【図８】本実施形態の竪框および上部摺動片を示す図であり、図８（Ａ）は断熱ブリッジ材が熱伸びする前の状態を示す図、図８（Ｂ）は断熱ブリッジ材が熱伸びした後の状態を示す図。
【符号の説明】
【００５２】
１…サッシ窓、１０…窓枠、１１…上枠、１２…下枠、１３，１４…縦枠、１１Ａ，１２Ａ，１３Ａ，１４Ａ…室外部材、１１Ｂ，１２Ｂ，１３Ｂ，１４Ｂ…室内部材、１１Ｃ，１２Ｃ，１３Ｃ，１４Ｃ…断熱ブリッジ材、１５…ポケット部、１６〜１９…レール、２０Ａ…外障子、２０Ｂ…内障子、２１，２２…上框、２３，２４…下框、２５，２６…竪框、２７…外召合せ框、２８…内召合せ框、２１Ａ〜２６Ａ，２８Ａ…室外部材、２１Ｂ〜２６Ｂ，２８Ｂ…室内部材、２１Ｃ〜２６Ｃ，２８Ｃ…断熱ブリッジ材、２９…複層ガラス、３０…ガスケット、４０…ポケット部、４１…突出片部、４２…係合片部、４３…係合溝、５０…上部側摺動片、５１…室外側壁部、５２…室内側壁部、５１Ａ，５２Ａ…カバー部、５３…連結部、５４…摺動溝、５５，５６…係合部、５５Ａ…挿入ガイド部、５５Ｂ…幅拡大部、５５Ｃ…嵌合部、５７…被覆片、６０…下部側摺動片、７１，７２…隙間。
【図１】
2005200931.tif 000003
【図２】
2005200931.tif 000004
【図３】
2005200931.tif 000005
【図４】
2005200931.tif 000006
【図５】
2005200931.tif 000007
【図６】
2005200931.tif 000008
【図７】
2005200931.tif 000009
【図８】
2005200931.tif 000010